(57)【特許請求の範囲】
【請求項１】
入口が上部に開口した弁室と、この弁室から隔てられ出口が上部に開口した出口通路とをケーシングに形成し、弁室側端に弁孔が開口し出口通路側端に分岐孔が開口した弁座部材を出口通路の下部に設けて弁室と出口通路を連通し、弁孔を開閉する弁部材を弁室内に配置し、出口側端の排出孔を出口に向けて開口させた耐浸食性を有する管部材を出口通路内に配置して、管部材の内側を通して分岐孔と出口側を連通するものにおいて、出口に向けて拡開させた耐浸食性を有する拡開管部材が排出孔に連結されており、拡開管部材の出口側端が、出口配管が接続される出口内に開口されており、拡開管部材の内側を通して排出孔と出口とが連通されていることを特徴とするスチームトラップ。
【発明の詳細な説明】
【技術分野】
【０００１】
本発明は、蒸気輸送管や蒸気使用機器等の蒸気配管系に発生する復水を自動的に排出するスチームトラップに関し、特に排出復水の高速流による出口通路の侵食を防止できるようにしたものに関する。
【背景技術】
【０００２】
出口通路の侵食を防止できるようにしたスチームトラップは、例えば特許文献１に開示されている。これは、入口が上部に開口した弁室と、この弁室から隔てられ出口が上部に開口した出口通路とをケーシングに形成し、弁室側端に弁孔が開口し出口通路側端に分岐孔が開口した弁座部材を出口通路の下部に設けて弁室と出口通路を連通し、弁孔を開閉する弁部材を弁室内に配置し、出口側端の排出孔を出口に向けて開口させた耐浸食性を有する管部材を出口通路内に配置して、管部材の内側を通して分岐孔と出口側を連通するものである。
【先行技術文献】
【特許文献】
【０００３】
【特許文献１】特開２００２−２７６８９３号公報
【発明の概要】
【発明が解決しようとする課題】
【０００４】
上記従来技術のスチームトラップは、排出復水が耐浸食性を有する管部材の内側を流下し出口通路の内壁に衝突しないので、出口通路の浸食を防止できるものであるが、
管部材排出孔から排出された排出復水が出口の内壁に衝突するために、出口の内壁が排出復水によって侵食されると言う問題点があった。
【０００５】
したがって本発明が解決しようとする課題は、出口通路及び出口の侵食を防止できるスチームトラップを提供することである。
【課題を解決するための手段】
【０００６】
上記の課題を解決するために、本発明のスチームトラップは、入口が上部に開口した弁室と、この弁室から隔てられ出口が上部に開口した出口通路とをケーシングに形成し、弁室側端に弁孔が開口し出口通路側端に分岐孔が開口した弁座部材を出口通路の下部に設けて弁室と出口通路を連通し、弁孔を開閉する弁部材を弁室内に配置し、出口側端の排出孔を出口に向けて開口させた耐浸食性を有する管部材を出口通路内に配置して、管部材の内側を通して分岐孔と出口側を連通するものにおいて、出口に向けて拡開させた耐浸食性を有する拡開管部材を排出孔に連結し、拡開管部材の出口側端を出口配管が接続される出口内に開口させて、拡開管部材の内側を通して排出孔と出口を連通することを特徴とするものである。
【発明の効果】
【０００７】
本発明によれば、排出復水が耐浸食性を有する管部材及び拡開管部材の内側を流下し出口通路及び出口の内壁に衝突しないので、出口通路及び出口の浸食を防止できるという優れた効果を奏する。
【図面の簡単な説明】
【０００８】
【図１】本発明の実施の形態に係わるフリーフロート式スチームトラップの断面図である。
【発明を実施するための形態】
【０００９】
以下、本発明の実施の形態について、図１を参照して説明する。本実施形態はフリーフロート式スチームトラップに適用したものである。鋳造成形された本体１に蓋部材２をボルトで締結してケーシングを形成する。ケーシングの内部は仕切壁３で、入口４の連通する弁室５と出口６の連通する出口通路７に隔てる。入口４は弁室５の上部に開口し、スクリーン８及び通孔９を開けたフロートカバー１０を介して連通する。出口通路７の内周壁に出口６側に向けて開口する排出孔１１を有する管部材１２を取り付ける。管部材１２は出口通路７が排出流体によって浸食されることを防止するために耐浸食性を有するステンレス鋼で作る。出口６に向けて拡開させた拡開管部材２８を排出孔１１に圧入して管部材１２に拡開管部材２８を連結する。拡開管部材２８は出口６が排出流体によって浸食されることを防止するために耐浸食性を有するステンレス鋼で作る。拡開管部材２８の出口側端は出口配管２７が接続される出口６内に出口６の軸方向に向けて開口させる。管部材１２の内側を通して分岐孔が出口６側に連通し、拡開管部材２８の内側を通して排出孔１２が出口６に連通する。弁室５内に弁部材としての中空球形のフロート１３を自由状態で配置する。フロート１３は弁室５の液位に従って浮上降下し、その外表面で下記の弁孔１４の弁室５側端を開閉する。本体１の底壁にフロート座１５を形成する。フロート１３はフロート座１５に接した位置で弁孔１４を完全に閉じる。
【００１０】
本体１の側壁開口から出口通路７及び仕切壁３を貫通して先端が弁室５に突出する弁座部材１６を挿入し、本体１にねじ結合する弁座保持部材１７で弁座部材１６を保持する。弁座部材１６は軸方向の中心に貫通した弁孔１４と弁孔１４から上方に向けて開口した分岐孔１８を有する。弁座部材１６と本体１の仕切壁３の間に気密保持用のＯリング１９を設ける。弁座部材１６は外面に一体に突出した凸部２０を有し、本体１は弁座部材１６の凸部２０が嵌る凹部２１を有する。弁座部材１６の凸部２０を本体１の凹部２１に嵌め合わせることにより、分岐孔１８を出口通路７に向ける。蓋部材２に排気弁孔２２を開けた排気弁座部材２３を間に保持ガイド２４を挟んでねじ結合する。保持ガイド２４に係止するバネ２５で温度応動素子２６を保持ガイド２４に係止する。温度応動素子２６はほぼ円板状の密閉体カプセルで図示はしていないが内部に薄板ダイヤフラムと熱膨張収縮液を充填して形成する。排気弁孔２２は蓋部材に形成した排気通路２７から管部材１２の排出孔１１を通して出口６に連通する。
【００１１】
上記フリーフロート式スチームトラップの作動は次の通りである。蒸気と復水及び空気が入口４から弁室５に流入し、蒸気と空気が上部に復水が下部に分離して溜まる。弁室５内の温度が高い場合、温度応動素子２６は膨張して排気弁孔２２を閉じる。弁室５内の温度が低くなると、温度応動素子２６は収縮して排気弁孔２２を開き、弁室５内の復水や空気を排気弁孔２２から出口６へ排出する。弁室５内の液位が上昇すると、フロート１３は浮上して弁孔１４を開き、弁室５内の復水を主弁口１８から出口６へ排出する。復水の排出によって弁室５内の液位が低下すると、フロート１３は降下して外表面で弁孔１４を直接閉じる。
【００１２】
上記実施例ではフリーフロート式スチームトラップを例示したが、本発明はレバーフロート式やフリーバケット式やレバーバケット式あるいはディスク式その他の型式のスチームトラップにも適用できるものである。
【産業上の利用可能性】
【００１３】
本発明は、蒸気輸送管や蒸気使用機器等の蒸気配管系に発生する復水を自動的に排出するスチームトラップに利用することができる。
【符号の説明】
【００１４】
１  本体
２  蓋部材
４  入口
５  弁室
６  出口
７  出口通路
１１  排出孔
１２  管部材
１３  フロート
１４  弁孔
１６  弁座部材
１８  分岐孔
２７  出口配管
２８  拡開管部材
【図１】
0005901934.tif 000002